(57)【要約】【課題】基地局のセルサイズが許容サイズ以上にならないよう規制すること。【解決手段】本発明は、移動局と、セルを構成し、前記セル内で前記移動局との間で無線信号を送受信する基地局と、前記基地局の上位ノードと、を有してなる移動通信システムに適用される。ここで、前記上位ノードは、前記基地局から前記基地局の位置情報を取得し、前記移動局から前記基地局を介して前記移動局の位置情報を取得し、前記移動局および前記基地局の位置情報を基に、前記移動局と前記基地局との間の距離を計算し、前記移動局と前記基地局との間の距離が予め決められた閾値以上である場合に、前記基地局に対し、前記基地局のセルサイズが大きい旨の通知を行う。【選択図】図１
2011130076.tif 000002
【特許請求の範囲】
【請求項１】
移動局と、セルを構成し、前記セル内で前記移動局との間で無線信号を送受信する基地局と、前記基地局の上位ノードと、を有してなる移動通信システムであって、
前記上位ノードは、
前記基地局から前記基地局の位置情報を取得し、
前記移動局から前記基地局を介して前記移動局の位置情報を取得し、
前記移動局および前記基地局の位置情報を基に、前記移動局と前記基地局との間の距離を計算し、
前記移動局と前記基地局との間の距離が予め決められた閾値以上である場合に、前記基地局に対し、前記基地局のセルサイズが大きい旨の通知を行う、移動通信システム。
【請求項２】
前記上位ノードは、
前記移動局の位置情報の取得、前記移動局と前記基地局との間の距離の計算を定期的に行い、前記移動局と前記基地局との間の距離が予め決められた閾値以上である場合、その都度、前記通知を行い、
前記通知を行った回数が予め決められた閾値以上となった場合、次回、前記移動局と前記基地局との間の距離が予め決められた閾値以上になった時には、前記基地局との接続を切断する、請求項１に記載の移動通信システム。
【請求項３】
前記上位ノードは、
前記通知を行った後、前記基地局の位置情報の取得を定期的に行い、
前記基地局が予め決められたエリア外に位置していた場合、前記基地局に運用を停止するよう指示する、請求項１に記載の移動通信システム。
【請求項４】
移動局と、セルを構成し、前記セル内で前記移動局との間で無線信号を送受信する基地局と、を有してなる移動通信システムであって、
前記基地局は、
前記基地局の位置情報を測定し、
前記移動局から前記移動局の位置情報を取得し、
前記移動局および前記基地局の位置情報を基に、前記移動局と前記基地局との間の距離を計算し、
前記移動局と前記基地局との間の距離が予め決められた閾値以上である場合に、前記移動局に送信する無線信号の送信電力を下げるか、運用を停止する移動通信システム。
【請求項５】
移動局と、セルを構成し、前記セル内で前記移動局と無線信号を送受信する基地局と、前記基地局の上位ノードと、を有してなる移動通信システムであって、
前記基地局は、
前記基地局に隣接する隣接基地局の識別情報を取得し、
前記上位ノードは、
前記基地局から、前記基地局の位置情報および前記隣接基地局の識別情報を取得し、
前記隣接基地局の識別情報を基に、前記隣接基地局の登録時に取得した前記隣接基地局の位置情報を抽出し、
前記基地局および前記隣接基地局の位置情報を基に、前記基地局と前記隣接基地局との間の距離を計算し、
前記基地局と前記隣接基地局との間の距離が予め決められた閾値以上である場合に、前記隣接基地局に対し、前記隣接基地局のセルサイズが大きい旨の通知を行う、移動通信システム。
【請求項６】
前記上位ノードは、
前記通知を行った後、前記基地局の位置情報および前記隣接基地局の識別情報の取得、前記隣接基地局の位置情報の抽出、前記基地局と前記隣接基地局との間の距離の計算を定期的に行い、前記基地局と前記隣接基地局との間の距離が予め決められた閾値以上である場合、その都度、前記通知を行う、請求項５に記載の移動通信システム。
【請求項７】
セルを構成し、前記セル内で移動局との間で無線信号を送受信する基地局の上位ノードであって、
前記基地局から前記基地局の位置情報を取得し、前記移動局から前記基地局を介して前記移動局の位置情報を取得する呼処理部と、
前記移動局および前記基地局の位置情報を基に、前記移動局と前記基地局との間の距離を計算する距離計算部と、を有し、
前記呼処理部は、
前記移動局と前記基地局との間の距離が予め決められた閾値以上である場合に、前記基地局に対し、前記基地局のセルサイズが大きい旨の通知を行う、上位ノード。
【請求項８】
セルを構成し、前記セル内で移動局との間で無線信号を送受信する基地局の上位ノードであって、
前記基地局から、前記基地局の位置情報、および、前記基地局に隣接する隣接基地局の識別情報の識別情報を取得し、前記隣接基地局の識別情報を基に、前記隣接基地局の登録時に取得した前記隣接基地局の位置情報を抽出する呼処理部と、
前記基地局および前記隣接基地局の位置情報を基に、前記基地局と前記隣接基地局との間の距離を計算する距離計算部と、を有し、
前記呼処理部は、
前記基地局と前記隣接基地局との間の距離が予め決められた閾値以上である場合に、前記隣接基地局に対し、前記隣接基地局のセルサイズが大きい旨の通知を行う、上位ノード。
【請求項９】
セルを構成し、前記セル内で前記移動局との間で無線信号を送受信する基地局であって、
前記基地局の位置情報を測定する位置情報測定部と、
前記移動局から前記移動局の位置情報を取得し、前記移動局および前記基地局の位置情報を基に、前記移動局と前記基地局との間の距離を計算し、前記移動局と前記基地局との間の距離が予め決められた閾値以上である場合に、前記移動局に送信する無線信号の送信電力を下げるか、運用を停止する呼処理部と、を有する基地局。
【請求項１０】
セルを構成し、前記セル内で移動局との間で無線信号を送受信する基地局の上位ノードによる通信方法であって、
前記基地局から前記基地局の位置情報を取得するステップと、
前記移動局から前記基地局を介して前記移動局の位置情報を取得するステップと、
前記移動局および前記基地局の位置情報を基に、前記移動局と前記基地局との間の距離を計算するステップと、
前記移動局と前記基地局との間の距離が予め決められた閾値以上である場合に、前記基地局に対し、前記基地局のセルサイズが大きい旨の通知を行うステップと、を有する通信方法。
【発明の詳細な説明】
【技術分野】
【０００１】
本発明は、基地局のセルサイズが許容サイズ以上にならないように規制する移動通信システム、上位ノード、基地局、通信方法に関する。
【背景技術】
【０００２】
近年、移動通信システムにおいては、既存の基地局に加えて、Ｈｏｍｅ  ＮｏｄｅＢ（以下、ＨＮＢ）と呼ばれる小型の基地局を新たに導入することが検討されている（非特許文献１）。以下では、ＨＮＢのセルをフェムトセルと呼ぶ。また、区別のために、既存の基地局をＮｏｄｅＢ、ＮｏｄｅＢのセルをマクロセルと呼ぶ。
【０００３】
ＨＮＢは、自分の送信電力によって、フェムトセルのセルサイズが決まる。これまで、ＨＮＢは、周りの環境に応じて、自分の送信電力を決定していた。例えば、ＨＮＢは、周りにマクロセルが存在しなければ、自分の最大送信電力でフェムトセルを構成し、近くにマクロセルが存在していれば、そのマクロセルからの干渉を基に送信電力を抑え、その送信電力でフェムトセルを構成していた。
【先行技術文献】
【非特許文献】
【０００４】
【非特許文献１】３ＧＰＰ  ＴＳ２５．４６９
【発明の概要】
【発明が解決しようとする課題】
【０００５】
上述のように、ＨＮＢは、周りの環境に応じて、自分の送信電力を決定していたため、セルサイズが許容サイズ以上のフェムトセルを構成することがあった。
【０００６】
例えば、マクロセルが存在しない室内にＨＮＢを配置した場合、ＨＮＢは、自分の最大送信電力でフェムトセルを構成してしまう。その場合、室外にまで電波が洩れることによって、室外の移動局（以下、ＵＥ：User Equipment）に干渉を与えてしまったり、室外のＵＥがキャンプオン（Camp on）してきてしまったりしていた。
【０００７】
そこで、本発明の目的は、基地局のセルサイズが許容サイズ以上にならないよう規制することができる移動通信システム、上位ノード、基地局、通信方法を提供することにある。
【課題を解決するための手段】
【０００８】
本発明の第１の移動通信システムは、
移動局と、セルを構成し、前記セル内で前記移動局との間で無線信号を送受信する基地局と、前記基地局の上位ノードと、を有してなる移動通信システムであって、
前記上位ノードは、
前記基地局から前記基地局の位置情報を取得し、
前記移動局から前記基地局を介して前記移動局の位置情報を取得し、
前記移動局および前記基地局の位置情報を基に、前記移動局と前記基地局との間の距離を計算し、
前記移動局と前記基地局との間の距離が予め決められた閾値以上である場合に、前記基地局に対し、前記基地局のセルサイズが大きい旨の通知を行う。
【０００９】
本発明の第２の移動通信システムは、
移動局と、セルを構成し、前記セル内で前記移動局との間で無線信号を送受信する基地局と、を有してなる移動通信システムであって、
前記基地局は、
前記基地局の位置情報を測定し、
前記移動局から前記移動局の位置情報を取得し、
前記移動局および前記基地局の位置情報を基に、前記移動局と前記基地局との間の距離を計算し、
前記移動局と前記基地局との間の距離が予め決められた閾値以上である場合に、前記移動局に送信する無線信号の送信電力を下げる。
【００１０】
本発明の第３の移動通信システムは、
移動局と、セルを構成し、前記セル内で前記移動局と無線信号を送受信する基地局と、前記基地局の上位ノードと、を有してなる移動通信システムであって、
前記基地局は、
前記基地局に隣接する隣接基地局の識別情報を取得し、
前記上位ノードは、
前記基地局から、前記基地局の位置情報および前記隣接基地局の識別情報を取得し、
前記隣接基地局の識別情報を基に、前記隣接基地局の登録時に取得した前記隣接基地局の位置情報を抽出し、
前記基地局および前記隣接基地局の位置情報を基に、前記基地局と前記隣接基地局との間の距離を計算し、
前記基地局と前記隣接基地局との間の距離が予め決められた閾値以上である場合に、前記隣接基地局に対し、前記隣接基地局のセルサイズが大きい旨の通知を行う。
【００１１】
本発明の第１の上位ノードは、
セルを構成し、前記セル内で移動局との間で無線信号を送受信する基地局の上位ノードであって、
前記基地局から前記基地局の位置情報を取得し、前記移動局から前記基地局を介して前記移動局の位置情報を取得する呼処理部と、
前記移動局および前記基地局の位置情報を基に、前記移動局と前記基地局との間の距離を計算する距離計算部と、を有し、
前記呼処理部は、
前記移動局と前記基地局との間の距離が予め決められた閾値以上である場合に、前記基地局に対し、前記基地局のセルサイズが大きい旨の通知を行う。
【００１２】
本発明の第２の上位ノードは、
セルを構成し、前記セル内で移動局との間で無線信号を送受信する基地局の上位ノードであって、
前記基地局から、前記基地局の位置情報、および、前記基地局に隣接する隣接基地局の識別情報の識別情報を取得し、前記隣接基地局の識別情報を基に、前記隣接基地局の登録時に取得した前記隣接基地局の位置情報を抽出する呼処理部と、
前記基地局および前記隣接基地局の位置情報を基に、前記基地局と前記隣接基地局との間の距離を計算する距離計算部と、を有し、
前記呼処理部は、
前記基地局と前記隣接基地局との間の距離が予め決められた閾値以上である場合に、前記隣接基地局に対し、前記隣接基地局のセルサイズが大きい旨の通知を行う。
【００１３】
本発明の基地局は、
セルを構成し、前記セル内で前記移動局との間で無線信号を送受信する基地局であって、
前記基地局の位置情報を測定する位置情報測定部と、
前記移動局から前記移動局の位置情報を取得し、前記移動局および前記基地局の位置情報を基に、前記移動局と前記基地局との間の距離を計算し、前記移動局と前記基地局との間の距離が予め決められた閾値以上である場合に、前記移動局に送信する無線信号の送信電力を下げる呼処理部と、を有する。
【００１４】
本発明の通信方法は、
セルを構成し、前記セル内で移動局との間で無線信号を送受信する基地局の上位ノードによる通信方法であって、
前記基地局から前記基地局の位置情報を取得するステップと、
前記移動局から前記基地局を介して前記移動局の位置情報を取得するステップと、
前記移動局および前記基地局の位置情報を基に、前記移動局と前記基地局との間の距離を計算するステップと、
前記移動局と前記基地局との間の距離が予め決められた閾値以上である場合に、前記基地局に対し、前記基地局のセルサイズが大きい旨の通知を行うステップと、を有する。
【発明の効果】
【００１５】
本発明の第１の移動通信システムによれば、上位ノードは、移動局と基地局との間の距離が閾値以上である場合、セルサイズが大きいことを基地局に通知する。
【００１６】
本発明の第２の移動通信システムによれば、基地局は、移動局と基地局との間の距離が閾値以上である場合、無線信号の送信電力を下げる。
【００１７】
これにより、基地局のセルサイズが許容サイズ以上にならないよう規制することができるという効果が得られる。
【００１８】
本発明の第３の移動通信システムによれば、上位ノードは、基地局とその基地局に隣接ずる隣接基地局との間の距離が閾値以上である場合、セルサイズが大きすぎることを隣接基地局に通知する。
【００１９】
これにより、隣接基地局のセルサイズが許容サイズ以上にならないよう規制することができるという効果が得られる。
【図面の簡単な説明】
【００２０】
【図１】本発明の一実施形態の移動通信システムの構成を示すブロック図である。
【図２】図１に示した移動通信システムの動作例１を説明するフローチャートである。
【図３】図２に示した動作例１の変形例１を説明するフローチャートである。
【図４】図２に示した動作例１の変形例２を説明するフローチャートである。
【図５】図１に示した移動通信システムの動作例２を説明するフローチャートである。
【図６】図５に示した動作例２の変形例を説明するフローチャートである。
【発明を実施するための形態】
【００２１】
以下に、本発明を実施するための形態について図面を参照して説明する。
【００２２】
図１に示すように、本実施形態の移動通信システムは、移動局であるＵＥ１０と、フェムトセルを構成し、フェムトセル内でＵＥ１０と無線信号を送受信する基地局であるＨＮＢ２０と、ＨＮＢ２０の上位ノードであるＨＮＢ  ＧＷ３０と、を有している。
【００２３】
ＨＮＢ  ＧＷ３０は、ＨＮＢ２０の位置情報を格納するデータベースであるＨＮＢ位置情報データベース３１と、呼処理全般を行う呼処理部３２と、ＨＮＢ位置情報データベース３１から得たＨＮＢ２０の位置情報とＵＥ１０から通知されるＵＥ１０の位置情報とを基に、ＵＥ１０とＨＮＢ２０との間の距離を計算する距離計算部３３と、を有している。
【００２４】
ＨＮＢ２０は、自分の位置情報を測定する位置情報測定部２１と、呼処理全般を行う呼処理部２２と、隣接するＨＮＢ２０を検出するＨＮＢ検出部２３と、を有している。
【００２５】
以下、本実施形態の移動通信システムの動作について説明する。
（Ａ）動作例１
本動作例は、ＨＮＢ２０とＵＥ１０との間の距離を用いて、ＨＮＢ２０のセルサイズが許容サイズ以上にならないよう規制するものである。本動作例について、図２を参照して説明する。
【００２６】
非特許文献１（３ＧＰＰ  ＴＳ２５．４６９）によれば、ＨＮＢは、ＨＮＢ  ＧＷに接続するときに、ＨＮＢ  ＧＷに位置情報を通知する。
【００２７】
そのため、ＨＮＢ２０の呼処理部２２は、ＨＮＢ  ＧＷ３０に接続するためのＨＮＢＡＰ（Home NodeB Application Protocol）  ＨＮＢ  Ｒｅｇｉｓｔｒａｔｉｏｎ手順において、位置情報測定部２１にて測定されたＨＮＢ２０の位置情報を、ＨＮＢＡＰ  ＨＮＢ  Ｒｅｇｉｓｔｅｒ  ＲｅｑｕｅｓｔメッセージにてＨＮＢ  ＧＷ３０に通知する（ステップＡ１）。現状、ＨＮＢ２０からＨＮＢ  ＧＷ３０に通知できる位置情報は、ＧＰＳ情報、ＩＰ  Ａｄｄｒｅｓｓ、隣接マクロセル情報である。本実施形態では、ＨＮＢ  ＧＷ３０が使用する位置情報は、ＧＰＳ情報であるものとする（例えば、ＩＰ  ＡｄｄｒｅｓｓからＧＰＳ情報を割り出せる場合は、その割り出されたＧＰＳ情報を使ってもよい）。
【００２８】
ＨＮＢ  ＧＷ３０の呼処理部３２は、ＨＮＢＡＰ  ＨＮＢ  Ｒｅｇｉｓｔｅｒ  Ｒｅｑｕｅｓｔメッセージにて通知された情報を基にＨＮＢ２０のＧＰＳ情報を割り出す。そして、呼処理部３２は、ＨＮＢ２０のＧＰＳ情報を位置情報としてＨＮＢ位置情報データベース３１に格納する（ステップＡ２）。
【００２９】
ＵＥ１０が、対象のＨＮＢ２０に接続したときには、ＲＲＣ（Radio Resource Control）  Ｃｏｎｎｅｃｔｉｏｎ  ｅｓｔａｂｌｉｓｈｍｅｎｔ／ＨＮＢＡＰ  ＵＥ  Ｒｅｇｉｓｕｔｒａｔｉｏｎ手順が行われる（ステップＡ３）。
【００３０】
このとき、ＨＮＢ  ＧＷ３０の呼処理部３２は、ＵＥ１０に自分の位置情報を測定させる指示を、ＨＮＢＡＰ  ＵＥ  Ｌｏｃａｔｉｏｎ  Ｒｅｐｏｒｔｉｎｇ  ＣｏｎｔｒｏｌメッセージにてＨＮＢ２０に通知し（ステップＡ４）、ＨＮＢ２０の呼処理部２２は、その指示を、ＲＲＣ  Ｍｅａｓｕｒｅｍｅｎｔ  ＣｏｎｔｒｏｌメッセージにてＵＥ１０に通知する（ステップＡ５）。このとき、ＵＥ１０に測定させるものは、ＧＰＳ情報またはＧＰＳ情報を間接的に割り出せる情報とする。ＵＥ１０の測定は、一度だけでもよいし、定期的に行わせても良い。
【００３１】
ＵＥ１０は、ＵＥ１０の位置情報の測定結果を、ＲＲＣ  Ｍｅａｓｕｒｅｍｅｎｔ  ＲｅｐｏｒｔメッセージにてＨＮＢ２０に通知し（ステップＡ６）、ＨＮＢ２０の呼処理部２２は、その測定結果を、ＨＮＢＡＰ  ＵＥ  Ｌｏｃａｔｉｏｎ  ＲｅｐｏｒｔメッセージにてＨＮＢ  ＧＷ３０に通知する（ステップＡ７）。
【００３２】
ＨＮＢ  ＧＷ３０の呼処理部３２は、ＨＮＢＡＰ  ＵＥ  Ｌｏｃａｔｉｏｎ  Ｒｅｐｏｒｔメッセージにて通知された測定結果を基にＵＥ１０のＧＰＳ情報を割り出す。そして、ＨＮＢ  ＧＷ３０の距離計算部３３は、ＨＮＢ２０のＧＰＳ情報とＵＥ１０のＧＰＳ情報とを基に、ＨＮＢ２０とＵＥ１０との間の距離を計算する（ステップＡ８）。
【００３３】
もし、ＨＮＢ２０とＵＥ１０との間の距離が予め決められた閾値未満であれば（ステップＡ９のＮｏ）、ＨＮＢ  ＧＷ３０の呼処理部３２は、特になにも行わない。
【００３４】
一方、ＨＮＢ２０とＵＥ１０との間の距離が予め決められた閾値以上であれば（ステップＡ９のＹｅｓ）、ＨＮＢ  ＧＷ３０の呼処理部３２は、ＨＮＢ２０にセルサイズが大きすぎることを、メッセージ（例えば、ＨＮＢＡＰ  Ｃｏｎｆｉｇｕｒａｔｉｏｎ  Ｕｎｍａｔｃｈメッセージ）にて通知する（ステップＡ１０）。このとき、通知する情報は、セルサイズが大きいことや、下げる電力値（ｄＢ）、ＵＥ１０との距離（ｍ）などが考えられる。
【００３５】
ＨＮＢ２０の呼処理部２２は、ＨＮＢ  ＧＷ３０から上記メッセージを受信した場合は、ＣＰＩＣＨ（Common Pilot Channel）の送信電力を下げるか、運用を停止する（ステップＡ１１）。
【００３６】
上述のように本動作例によれば、ＨＮＢ  ＧＷ３０は、ＵＥ１０とＨＮＢ２０との間の距離を計算し、計算した距離が閾値以上である場合、セルサイズが大きいことをＨＮＢ２０に通知する。
【００３７】
これにより、ＨＮＢ２０のセルサイズが許容サイズ以上にならないよう規制することができる。
【００３８】
ここで、本動作例の２つの変形例を図３および図４を参照して説明する。
（ａ−１）動作例１の変形例１
図２の動作をＵＥ１０がＨＮＢ２０に接続している間に定期的に行う場合、ＨＮＢ２０がＨＮＢ  ＧＷ３０の通知に従って、セルサイズを小さくしているか、運用を停止しているかを確認することができる。
【００３９】
例えば、ＨＮＢ  ＧＷ３０がＨＮＢ２０に対してセルサイズが大きいことを通知している回数が予め決められた閾値以上である場合、このＨＮＢ２０は、ＨＮＢ  ＧＷ３０からの通知を受け入れていないため、故障しているか違法ＨＮＢである可能性が高い。
【００４０】
図３に示す変形例１は、ＨＮＢ  ＧＷ３０が、ＨＮＢ２０に対してセルサイズが大きいことを通知している回数が予め決められた閾値以上である場合、このＨＮＢ２０は、故障しているか違法ＨＮＢと判断し、このＨＮＢ２０との接続を切断するものである。
【００４１】
本変形例では、ＨＮＢ２０とＵＥ１０との間の距離が予め決められた閾値以上であれば（ステップＡ９のＹｅｓ）、ＨＮＢ  ＧＷ３０の呼処理部３２は、ＨＮＢ２０に対してセルサイズが大きいことをすでに通知した回数が予め決められた閾値以上であるか否かを判定する（ステップＢ１）。
【００４２】
もし、予め決められた閾値未満である場合（ステップＢ１のＮｏ）、ＨＮＢ  ＧＷ３０の呼処理部３２は、ＨＮＢ２０にセルサイズが大きすぎることを通知し（ステップＡ１０）、その後、ＵＥ１０の位置情報を最後に取得してから（ステップＡ７の処理が終了してから）、一定時間が経過してもなおＵＥ１０が接続していれば（ステップＢ２のＹｅｓかつステップＢ３のＹｅｓ）、ステップＡ４の処理に戻る。
【００４３】
一方、予め決められた閾値以上である場合（ステップＢ１のＹｅｓ）、ＨＮＢ  ＧＷ３０の呼処理部３２は、ＨＮＢ２０との接続を切断し、その旨をＨＮＢＡＰ  Ｄｅ−ｒｅｇｉｓｔｅｒメッセージにてＨＮＢ２０に通知する（ステップＢ４）。
【００４４】
上述のように本変形例によれば、ＨＮＢ  ＧＷ３０は、ＨＮＢ２０に対してセルサイズが大きいことを通知した回数が予め決められた閾値以上である場合、ＨＮＢ２０との接続を切断する。
【００４５】
これにより、故障しているか違法ＨＮＢである可能性が高いＨＮＢ２０が、セルサイズが大きいままで運用を継続しないよう規制することができる。
（ａ−２）動作例１の変形例２
無線ＬＡＮ（Local Area Network）などを使ってＨＮＢ  ＧＷ３０に接続しているＨＮＢ２０は、一度接続してしまうと、位置を自由に変えることができてしまい、許容エリア外でＨＮＢ２０を運用される可能性がある。
【００４６】
図４に示す変形例２は、ＨＮＢ  ＧＷ３０が、図２の動作終了後、ＨＮＢ２０の移動を検知するために、定期的にＨＮＢ２０の位置情報を取得し、許容エリア外に移動したＨＮＢ２０の運用を停止させるものである。
【００４７】
本変形例では、ＨＮＢ  ＧＷ３０の呼処理部３２は、ステップＡ１０の終了後、ＨＮＢ２０の位置情報を最後に取得してから（ステップＡ１の処理が終了してから、または、後述のステップＣ３の処理が終了してから）、一定時間が経過しているか否かを判定する（ステップＣ１）。
【００４８】
一定時間が経過していれば（ステップＣ１のＹｅｓ）、ＨＮＢ  ＧＷ３０の呼処理部３２は、ＨＮＢ２０に自分の位置情報を測定させる指示を、新規のメッセージ（例えば、ＨＮＢＡＰ  ＨＮＢ  Ｌｏｃａｔｉｏｎ  Ｒｅｐｏｒｔｉｎｇ  Ｃｏｎｔｒｏｌメッセージ）にてＨＮＢ２０に通知する（ステップＣ２）。
【００４９】
ＨＮＢ２０の位置情報測定部２１は、自分の位置情報の測定し、ＨＮＢ２０の呼処理部２２は、その測定結果を、新規のメッセージ（例えば、ＨＮＢＡＰ  ＨＮＢ  Ｌｏｃａｔｉｏｎ  Ｒｅｐｏｒｔメッセージ）にてＨＮＢ  ＧＷ３０に通知する（ステップＣ３）。
【００５０】
ＨＮＢ  ＧＷ３０の呼処理部３２は、ＨＮＢ２０からのメッセージからＨＮＢ２０の位置情報を割り出し、ＨＮＢ２０が予め決められた許容エリア内に位置するかを判定する（ステップＣ４）。
【００５１】
もし、予め決められた許容エリア内に位置する場合（ステップＣ４のＹｅｓ）、ＨＮＢ  ＧＷ３０の呼処理部３２は、ＨＮＢ２０の位置情報をＨＮＢ位置情報データベース３１に格納し（ステップＣ５）、その後、ステップＣ１の処理に戻る。
【００５２】
一方、予め決められた許容エリア外に位置する場合（ステップＣ４のＮｏ）、ＨＮＢ  ＧＷ３０の呼処理部３２は、ＨＮＢ２０の運用を停止させる指示を、ＨＮＢＡＰ  Ｄｅ−ｒｅｇｉｓｔｅｒメッセージにてＨＮＢ２０に通知する（ステップＣ６）。
【００５３】
上述のように本変形例によれば、ＨＮＢ  ＧＷ３０は、ＨＮＢ２０が許容エリア外に移動した場合、ＨＮＢ２０の運用を停止させる。
【００５４】
これにより、無線ＬＡＮなどを使ってＨＮＢ  ＧＷ３０に接続しているＨＮＢ２０が、許容エリアでのみ運用するよう規制することができる。
【００５５】
なお、本動作例では、ＨＮＢ  ＧＷ３０とＨＮＢ２０とで動作を行っていたが、ＨＮＢ  ＧＷ３０の動作をＨＮＢ２０のみで行わせることも可能である。この場合、ＨＮＢ２０には、ＨＮＢ  ＧＷ３０の距離計算部３３と同様の距離計算部を追加する。ＨＮＢ２０の位置情報取得部２１は、自分の位置情報をＧＰＳで取得する。また、ＨＮＢ２０の呼処理部２２は、ＵＥ１０が接続してくると、ＵＥ１０に自分の位置情報を測定させる指示を、ＲＲＣ  Ｍｅａｓｕｒｅｍｅｎｔ  ＣｏｎｔｒｏｌメッセージにてＵＥ１０に通知する。ＵＥ１０から、ＵＥ１０の位置情報の測定結果がＲＲＣ  Ｍｅａｓｕｒｅｍｅｎｔ  Ｒｅｐｏｒｔメッセージにて通知されると、ＨＮＢ２０の距離計算部は、ＨＮＢ２０とＵＥ１０との間の距離を計算し、ＨＮＢ２０の呼処理部２２は、必要であれば、ＣＰＩＣＨの送信電力を下げてセルサイズを小さくするか、運用を停止する。
（Ｂ）動作例２
本動作例は、ＨＮＢ２０（ＨＮＢ２０Ａとする）とＨＮＢ２０Ａに隣接するＨＮＢ２０（ＨＮＢ２０Ｂとする）との間の距離を用いて、ＨＮＢ２０Ｂのセルサイズが許容サイズ以上にならないよう規制するものである。本動作例を、図５を参照して説明する。なお、図５においては、ＨＮＢ２０Ｂはすでに登録済みであり、ＨＮＢ２０Ｂの位置情報はＨＮＢ位置情報データベース３１に格納済みであるものとする。
【００５６】
前述の通り、ＨＮＢ２０Ａの呼制御部２２は、ＨＮＢ  ＧＷ３０に登録するとき、ＨＮＢ  ＧＷ３０に対して、自分の位置情報をＨＮＢＡＰ  ＨＮＢ  Ｒｅｇｉｓｔｅｒ  Ｒｅｑｕｅｓｔメッセージにて通知することが可能である。
【００５７】
これに加えて、今回、新たにＨＮＢＡＰ  ＨＮＢ  Ｒｅｇｉｓｔｅｒ  Ｒｅｑｕｅｓｔメッセージに、自分に隣接するＨＮＢ２０Ｂの識別情報として、ＨＮＢ２０Ｂから報知されているＳｙｓｔｅｍ  Ｉｎｆｏｒｍａｔｉｏｎ  Ｂｌｏｃｋ  Ｔｙｐｅ  ３から取得したＵＴＲＡＮ（UMTS Terrestrial Radio Access Network）  Ｃｅｌｌ  ＩＤと、ＣＳＧ（Closed Subscriber Group）  ＩＤと、Ｐｈｙｓｉｃａｌ  Ｃｅｌｌ  ＩＤ（Ｓｃｒａｍｂｌｉｎｇ  Ｃｏｄｅ）と、を追加する。
【００５８】
ＨＮＢは、電源が投入された後に、隣接するＨＮＢやＮｏｄｅＢの情報を取得するために、ネットワークリスニングを実行することが知られている。ネットワークリスニングとは、ＨＮＢが、ＵＥのような振る舞いをすることにより、隣接するＨＮＢやＮｏｄｅＢから送信されている情報を取得することである。
【００５９】
そのため、ＨＮＢ２０ＡのＨＮＢ検出部２３は、ネットワークリスニングを実行し、隣接するＨＮＢ２０ＢやＮｏｄｅＢの情報を取得する（ステップＤ１）。次に、ＨＮＢ２０Ａの呼制御部２２は、取得した情報から、隣接するＨＮＢ２０Ｂの識別情報のみを抽出し、ＨＮＢＡＰ  ＨＮＢ  Ｒｅｇｉｓｔｒａｔｉｏｎ手順において、ＨＮＢ２０Ｂの識別情報と自分の位置情報を、ＨＮＢＡＰ  ＨＮＢ  Ｒｅｇｉｓｔｅｒ  ＲｅｑｕｅｓｔメッセージにてＨＮＢ  ＧＷ３０に通知する（ステップＤ２）。抽出された隣接するＨＮＢ２０Ｂの識別情報は複数でもかまわない。
【００６０】
次に、ＨＮＢ  ＧＷ３０の呼制御部３２は、ＨＮＢ２０ＡからＨＮＢＡＰ  ＨＮＢ  Ｒｅｇｉｓｔｅｒ  Ｒｅｑｕｅｓｔメッセージにて通知されたＨＮＢ２０Ａの位置情報をＨＮＢ位置情報データベース３１に格納する（ステップＤ３）。
【００６１】
次に、ＨＮＢ  ＧＷ３０の呼制御部３２は、ＨＮＢ２０Ａから通知されたＨＮＢ２０Ｂの識別情報（ＵＴＲＡＮ  Ｃｅｌｌ  ＩＤ、ＣＳＧ  ＩＤ、Ｐｈｙｓｉｃａｌ  Ｃｅｌｌ  ＩＤ）からＨＮＢ２０Ｂを特定し、ＨＮＢ位置情報データベース３１から、ＨＮＢ２０Ｂの位置情報を抽出し取得する（ステップＤ４）。
【００６２】
次に、ＨＮＢ  ＧＷ３０の距離計算部３３は、ＨＮＢ２０Ａの位置情報とＨＮＢ２０Ｂの位置情報とを基に、ＨＮＢ２０ＡとＨＮＢ２０Ｂとの間の距離を計算する（ステップＤ５）。
【００６３】
もし、ＨＮＢ２０ＡとＨＮＢ２０Ｂとの間の距離が予め決められた閾値未満であれば（ステップＤ６のＮｏ）、ＨＮＢ  ＧＷ３０の呼制御部３２は、特になにも行わない。
【００６４】
一方、ＨＮＢ２０ＡとＨＮＢ２０Ｂとの間の距離が予め決められた閾値以上であれば（ステップＤ６のＹｅｓ）、これは、ＨＮＢ２０ＢのＣＰＩＣＨの送信電力が大きく、本来検出されないＨＮＢ２０Ａに検出されてしまったことを意味する。そのため、ＨＮＢ  ＧＷ３０の呼制御部３２は、セルサイズが大きすぎることを、メッセージ（例えば、ＨＮＢＡＰ  Ｃｏｎｆｉｇｕｒａｔｉｏｎ  Ｕｎｍａｔｃｈメッセージ）にてＨＮＢ２０Ｂに通知する（ステップＤ７）。
【００６５】
ＨＮＢ２０Ｂの呼制御部２２は、ＨＮＢ  ＧＷ３０から上記メッセージを受信した場合は、ＣＰＩＣＨの送信電力を下げるか、運用を停止する（ステップＤ８）。
【００６６】
なお、上記のステップＤ３〜Ｄ８までの処理は、ＨＮＢ２０Ａから報告された隣接するＨＮＢ２０Ｂの数の分だけ実施される。
【００６７】
上述のように本動作例によれば、ＨＮＢ  ＧＷ３０は、ＨＮＢ２０ＡとＨＮＢ２０Ａに隣接するＨＮＢ２０Ｂとの間の距離を計算し、計算した距離が閾値以上である場合、セルサイズが大きすぎることをＨＮＢ２０Ｂに通知する。
【００６８】
これにより、ＨＮＢ２０Ｂのセルサイズが許容サイズ以上にならないよう規制することができる。
【００６９】
ここで、本動作例の変形例を図６を参照して説明する。
（ｂ）動作例２の変形例
図６に示す変形例は、図５の動作を定期的に行うものである。
【００７０】
本変形例では、ＨＮＢ  ＧＷ３０の呼制御部３２は、ステップＤ７の終了後、ＨＮＢ２０Ａの位置情報およびＨＮＢ２０Ｂの識別情報を最後に取得してから（ステップＤ２の処理が終了してから、または、後述のステップＥ３の処理が終了してから）、一定時間が経過しているか否かを判定する（ステップＥ１）。
【００７１】
一定時間が経過していれば（ステップＥ１のＹｅｓ）、ＨＮＢ  ＧＷ３０の呼制御部３２は、ＨＮＢ２０Ａの位置情報とＨＮＢ２０Ｂの識別情報を通知する指示を、動作例１で用いたＨＮＢＡＰ  ＨＮＢ  Ｌｏｃａｔｉｏｎ  Ｒｅｐｏｒｔｉｎｇ  ＣｏｎｔｒｏｌメッセージにてＨＮＢ２０Ａに通知する（ステップＥ２）。
【００７２】
ＨＮＢ２０Ａの呼制御部２２は、ＨＮＢ２０Ａの位置情報とＨＮＢ２０Ｂの識別情報を、動作例１で用いたＨＮＢＡＰ  ＨＮＢ  Ｌｏｃａｔｉｏｎ  ＲｅｐｏｒｔメッセージにてＨＮＢ  ＧＷ３０に通知する（ステップＥ３）。
【００７３】
以降、ステップＤ３〜Ｄ８と同様のステップＥ４〜Ｅ９の処理が行われ、ステップＥ８の終了後、ステップＥ１の処理に戻る。
【００７４】
上述のように本変形例によれば、図５の動作を定期的に行うため、例えば、無線ＬＡＮなどを使ってＨＮＢ  ＧＷ３０に接続しているＨＮＢ２０Ｂが、ＨＮＢ２０Ａで検出可能な範囲内に移動してきた場合にも、このＨＮＢ２０Ｂのセルサイズが許容サイズ以上にならないよう規制することができる。
【００７５】
なお、本動作例は、ＨＮＢ  ＧＷ３０で動作を行っていたが、ＨＮＢ  ＧＷ３０ではなく、ＨＭＳ（Home NodeB Management System）が上位ノードとして行うこともできる。この場合、ＨＮＢとＨＭＳの間のメッセージとしてＴＲ−０６９などを使用することになる。なお、ＨＭＳは、ＨＮＢ２０を管理するＯ＆Ｍ（Operations and Maintenance）システムのことであり、ＨＮＢ  ＧＷとは異なる。
【００７６】
また、本実施形態においては、基地局がＨＮＢであるものとして説明したが、基地局がＮｏｄｅＢであっても本発明は適用可能である。
【００７７】
また、本発明のＨＮＢ、ＨＮＢ  ＧＷ、およびＨＭＳにて行われる方法は、コンピュータに実行させるためのプログラムに適用してもよい。また、そのプログラムを記憶媒体に格納することも可能であり、ネットワークを介して外部に提供することも可能である。
（付記１）
移動局と、セルを構成し、前記セル内で前記移動局との間で無線信号を送受信する基地局と、前記基地局の上位ノードと、を有してなる移動通信システムであって、
前記上位ノードは、
前記基地局から前記基地局の位置情報を取得し、
前記移動局から前記基地局を介して前記移動局の位置情報を取得し、
前記移動局および前記基地局の位置情報を基に、前記移動局と前記基地局との間の距離を計算し、
前記移動局と前記基地局との間の距離が予め決められた閾値以上である場合に、前記基地局に対し、前記基地局のセルサイズが大きい旨の通知を行う、移動通信システム。
（付記２）
前記上位ノードは、
前記移動局の位置情報の取得、前記移動局と前記基地局との間の距離の計算を定期的に行い、前記移動局と前記基地局との間の距離が予め決められた閾値以上である場合、その都度、前記通知を行い、
前記通知を行った回数が予め決められた閾値以上となった場合、次回、前記移動局と前記基地局との間の距離が予め決められた閾値以上になった時には、前記基地局との接続を切断する、付記１に記載の移動通信システム。
（付記３）
前記上位ノードは、
前記通知を行った後、前記基地局の位置情報の取得を定期的に行い、
前記基地局が予め決められたエリア外に位置していた場合、前記基地局に運用を停止するよう指示する、付記１に記載の移動通信システム。
（付記４）
移動局と、セルを構成し、前記セル内で前記移動局との間で無線信号を送受信する基地局と、を有してなる移動通信システムであって、
前記基地局は、
前記基地局の位置情報を測定し、
前記移動局から前記移動局の位置情報を取得し、
前記移動局および前記基地局の位置情報を基に、前記移動局と前記基地局との間の距離を計算し、
前記移動局と前記基地局との間の距離が予め決められた閾値以上である場合に、前記移動局に送信する無線信号の送信電力を下げるか、運用を停止する移動通信システム。
（付記５）
移動局と、セルを構成し、前記セル内で前記移動局と無線信号を送受信する基地局と、前記基地局の上位ノードと、を有してなる移動通信システムであって、
前記基地局は、
前記基地局に隣接する隣接基地局の識別情報を取得し、
前記上位ノードは、
前記基地局から、前記基地局の位置情報および前記隣接基地局の識別情報を取得し、
前記隣接基地局の識別情報を基に、前記隣接基地局の登録時に取得した前記隣接基地局の位置情報を抽出し、
前記基地局および前記隣接基地局の位置情報を基に、前記基地局と前記隣接基地局との間の距離を計算し、
前記基地局と前記隣接基地局との間の距離が予め決められた閾値以上である場合に、前記隣接基地局に対し、前記隣接基地局のセルサイズが大きい旨の通知を行う、移動通信システム。
（付記６）
前記上位ノードは、
前記通知を行った後、前記基地局の位置情報および前記隣接基地局の識別情報の取得、前記隣接基地局の位置情報の抽出、前記基地局と前記隣接基地局との間の距離の計算を定期的に行い、前記基地局と前記隣接基地局との間の距離が予め決められた閾値以上である場合、その都度、前記通知を行う、付記５に記載の移動通信システム。
（付記７）
セルを構成し、前記セル内で移動局との間で無線信号を送受信する基地局の上位ノードであって、
前記基地局から前記基地局の位置情報を取得し、前記移動局から前記基地局を介して前記移動局の位置情報を取得する呼処理部と、
前記移動局および前記基地局の位置情報を基に、前記移動局と前記基地局との間の距離を計算する距離計算部と、を有し、
前記呼処理部は、
前記移動局と前記基地局との間の距離が予め決められた閾値以上である場合に、前記基地局に対し、前記基地局のセルサイズが大きい旨の通知を行う、上位ノード。
（付記８）
セルを構成し、前記セル内で移動局との間で無線信号を送受信する基地局の上位ノードであって、
前記基地局から、前記基地局の位置情報、および、前記基地局に隣接する隣接基地局の識別情報の識別情報を取得し、前記隣接基地局の識別情報を基に、前記隣接基地局の登録時に取得した前記隣接基地局の位置情報を抽出する呼処理部と、
前記基地局および前記隣接基地局の位置情報を基に、前記基地局と前記隣接基地局との間の距離を計算する距離計算部と、を有し、
前記呼処理部は、
前記基地局と前記隣接基地局との間の距離が予め決められた閾値以上である場合に、前記隣接基地局に対し、前記隣接基地局のセルサイズが大きい旨の通知を行う、上位ノード。
（付記９）
セルを構成し、前記セル内で前記移動局との間で無線信号を送受信する基地局であって、
前記基地局の位置情報を測定する位置情報測定部と、
前記移動局から前記移動局の位置情報を取得し、前記移動局および前記基地局の位置情報を基に、前記移動局と前記基地局との間の距離を計算し、前記移動局と前記基地局との間の距離が予め決められた閾値以上である場合に、前記移動局に送信する無線信号の送信電力を下げるか、運用を停止する呼処理部と、を有する基地局。
（付記１０）
セルを構成し、前記セル内で移動局との間で無線信号を送受信する基地局の上位ノードによる通信方法であって、
前記基地局から前記基地局の位置情報を取得するステップと、
前記移動局から前記基地局を介して前記移動局の位置情報を取得するステップと、
前記移動局および前記基地局の位置情報を基に、前記移動局と前記基地局との間の距離を計算するステップと、
前記移動局と前記基地局との間の距離が予め決められた閾値以上である場合に、前記基地局に対し、前記基地局のセルサイズが大きい旨の通知を行うステップと、を有する通信方法。
（付記１１）
セルを構成し、前記セル内で移動局との間で無線信号を送受信する基地局の上位ノードによる通信方法であって、
前記基地局から、前記基地局の位置情報、および、前記基地局に隣接する隣接基地局の識別情報の識別情報を取得するステップと、
前記隣接基地局の識別情報を基に、前記隣接基地局の登録時に取得した前記隣接基地局の位置情報を抽出するステップと、
前記基地局および前記隣接基地局の位置情報を基に、前記基地局と前記隣接基地局との間の距離を計算するステップと、
前記基地局と前記隣接基地局との間の距離が予め決められた閾値以上である場合に、前記隣接基地局に対し、前記隣接基地局のセルサイズが大きい旨の通知を行うステップと、を有する通信方法。
（付記１２）
セルを構成し、前記セル内で前記移動局との間で無線信号を送受信する基地局による通信方法であって、
前記基地局の位置情報を測定するステップと、
前記移動局から前記移動局の位置情報を取得するステップと、
前記移動局および前記基地局の位置情報を基に、前記移動局と前記基地局との間の距離を計算するステップと、
前記移動局と前記基地局との間の距離が予め決められた閾値以上である場合に、前記移動局に送信する無線信号の送信電力を下げるか、運用を停止するステップと、を有する通信方法。
【符号の説明】
【００７８】
１０    ＵＥ
２０    ＨＮＢ
２１    位置情報測定部
２２    呼処理部
２３    ＨＮＢ検出部
３０    ＨＮＢ  ＧＷ
３１    ＨＮＢ位置情報データベース
３２    呼処理部
３３    距離計算部
【図１】
2011130076.tif 000003
【図２】
2011130076.tif 000004
【図３】
2011130076.tif 000005
【図４】
2011130076.tif 000006
【図５】
2011130076.tif 000007
【図６】
2011130076.tif 000008